(57)【要約】【課題】  載置又は収納する書籍等の幅に応じて幅（奥行き）を調整することのできる多機能を備えた棚板及びこれを用いた書架を得ること。【解決手段】  上面板２２、下面板２３及び両者を連結する複数のリブ２４を有し、アルミニウム押出し形材からなる水平板２１と、上面板２２の長手方向に設けられた少なくとも１条の凹溝２５と、後壁の長手方向に設けられたほぼＣ字状の取付溝２６と、下面板２３の幅方向のほぼ中央部において長手方向に設けられた仕切り具の取付部２８と、この取付部２８の両側において長手方向に設けられたほぼ半円状の支持溝２９ａ，２９ｂと、上面板２２と下面板２３との間においてリブ２４に設けた複数のねじ螺入孔２７ａ〜２７ｃと、水平板２１の奥行を設定するストッパ３１，４１とを備え、ストッパ３１，４１は、凹溝２５又は取付溝２６のいずれかに着脱可能に取付けてある。【選択図】      図１
2010094537.tif 000002
【特許請求の範囲】
【請求項１】
上面板、下面板及び両者を連結する複数のリブを有し、アルミニウム押出し形材からなる水平板と、前記上面板の長手方向に設けられた少なくとも１条の凹溝と、後壁の長手方向に設けられたほぼＣ字状のストッパの取付溝と、前記上面板と下面板との間において前記リブに設けた複数のねじ螺入孔と、前記水平板の奥行を設定するストッパとを備え、該ストッパは、前記凹溝又はストッパの取付溝のいずれかに着脱可能に取付けてあることを特徴とする棚板。
【請求項２】
請求項１の棚板を用いたことを特徴とする書架。
【発明の詳細な説明】
【技術分野】
【０００１】
本発明は、書籍やファイルなどが載置又は収納される書架の棚板、及びこの棚板を用いた書架に関すものである。
【背景技術】
【０００２】
従来、書籍やファイルなど（以下、書籍等という）を載置又は収納する書架において、棚板の幅（奥行き）は、通常、載置又は収納する書籍等の中で一番大きい書籍等の幅に合わせて製作されている。
【発明の概要】
【発明が解決しようとする課題】
【０００３】
従来の書架は、一般に上記のように構成されているので、例えば、文庫本などの幅の狭い書籍を載置する場合は、後端部のストッパに当接するまで押込むと、前側に大きい空間部が形成されるため見苦しかった。このため、文庫本などを載置する書架の場合は、文庫本などの幅に対応した狭い幅の棚板を特別に用いることもあった。
【０００４】
本発明は、上記の課題を解決するためになされたもので、載置又は収納する書籍等の幅に応じて幅（奥行き）を調整することのできる多機能の棚板及びこの棚板を用いた書架を得ることを目的としたものである。
【課題を解決するための手段】
【０００５】
本発明は、上面板、下面板及び両者を連結する複数のリブを有し、アルミニウム押出し形材からなる水平板と、前記上面板の長手方向に設けられた少なくとも１条の凹溝と、後壁の長手方向に設けられたほぼＣ字状のストッパの取付溝と、前記上面板と下面板との間において前記リブに設けた複数のねじ螺入孔と、前記水平板の奥行を設定するストッパとを備え、該ストッパは、前記凹溝又はストッパの取付溝のいずれかに着脱可能に取付けてあることを特徴とする棚板である。
【０００６】
また、本発明に係る書架は、上記の棚板を用いたものである。
【発明の効果】
【０００７】
本発明は、上面板、下面板及び両者を連結する複数のリブを有し、アルミニウム押出し形材からなる水平板と、上面板の長手方向に設けられた少なくとも１条の凹溝と、後壁の長手方向に設けられたほぼＣ字状のストッパの取付溝と、上面板と下面板との間においてリブに設けた複数のねじ螺入孔と、水平板の奥行を設定するストッパとを備え、ストッパは、凹溝又はストッパの取付溝のいずれかに着脱可能に取付けてあるので、使用者の種々の要望に応えることのできる多機能の棚板を得ることができる。すなわち、凹溝にストッパを取付ければ、棚板の奥行きを調整することができ、取付溝にストッパを取付ければ、棚板の幅とほぼ等しい幅の書籍等を載置又は収納する場合に後部からの書籍等のはみ出しや落下を防止できる。
【０００８】
また、本発明に係る書架は、上記の棚板を用いたので、上記と同様の効果を得ることができる。
【図面の簡単な説明】
【０００９】
【図１】本発明に係る書架の一例の正面図である。
【図２】図１のＡ−Ａ断面図である。
【図３】図１のブラケットの側面図及びＢ−Ｂ断面図である。
【図４】図１の水平板の斜視図である。
【図５】水平板のブラケットへの取付手段を示す斜視図である。
【図６】水平板の側板への取付手段を示す斜視図である。
【図７】水平板へのストッパの取付手段を示す斜視図である。
【図８】図７のストッパの斜視図である。
【図９】水平板への後部ストッパの取付手段を示す斜視図である。
【図１０】図９の後部ストッパの斜視図である。
【図１１】水平板への補助水平板の取付手段を示す斜視図である。
【図１２】水平板への仕切り具の取付手段を示す斜視図である。
【図１３】水平板への表示具の取付手段を示す斜視図である。
【図１４】図１３の表示具を構成する支持台及び表示板の斜視図である。
【発明を実施するための形態】
【００１０】
図１は本発明に係る書架の一実施の形態の正面図、図２は図１のＡ−Ａ断面図である。ただし、ストッパについては図示省略してある。両図において、１ａ，１ｂ（以下、単に１と記すことがある）は例えばアルミニウム押出し形材（以下、アルミ形材という）からなる左右の側板、２ａ，２ｂ，２ｃ（以下、単に２と記すことがある）は例えば角形鋼管からなり、前壁及び後壁の上下方向に所定の間隔で多数の係止孔３が設けられた支柱で、側板１ａ，１ｂの内壁の後部側及び両側板１ａ，１ｂの中間部に配設されている。
【００１１】
４，５は例えば角形鋼管からなる連結部材で、支柱２ａと２ｃの間、及び２ｂと２ｃの間の上下に配設され、側板１ａ，１ｂ及び支柱２ａ〜２ｃを一体に結合する。６は例えば鋼材からなり、両側板１ａ，１ｂの下端部に配設されて両側板１ａ，１ｂを連結する底板、７は連結部材４に取付けられた支持棒で、先端部には両側板１ａ，１ｂを連結するサインレール８が設けられている。
【００１２】
１１ａ，１１ｂ（以下、単に１１と記すことがある）は支柱２ａ〜２ｃに取付けられたブラケット、２１は対向して取付けられたブラケット１１ａ，１１ｂの間に配設され、ビスにより固定された水平板である。以下、これらブラケット１１及び水平板２１について詳細に説明する。
【００１３】
ブラケット１１は、鋼板、アルミニウム板材等からなり、図３に示すように、後端部には支柱２の係止孔３に係止する複数の係止片１２が設けられており、下部の幅方向（奥行方向）には、水平板２１を取付けるための複数のビス挿通孔１３ａ，１３ｂ，１３ｃが設けられている。
【００１４】
水平板２１は図４に示すように、アルミ形材からなり、その幅（奥行き）Ｗ2は、通常載置される大形の書籍等の幅、及びブラケット１１の幅（奥行き）Ｗ1とほぼ等しく形成されている。この水平板２１は、ループ状に形成された上面板２２と下面板２３及びこれらを連結しかつ補強するリブ２４により中空に形成されており、上面板２２には後端部から前部側にかけて、長手方向に所定の間隔を隔てて３条の凹溝２５ａ，２５ｂ，２５ｃが設けられており、例えば、前面側の凹溝２５ｃと水平板２１の前端部までの幅Ｗ3は、文庫本の幅とほぼ等しく形成されている。なお、この凹溝２５ａ〜２５ｃは３条に限定するものではなく、１条以上であればよい。
【００１５】
２６は後端部の長手方向に後壁を兼ねて設けられ、後述の後部ストッパが取付けられるほぼＣ字状の取付溝である。２７ａ，２７ｂ，２７ｃは上面板２２と下面板２３を連結するリブ２４の長手方向に設けられたビス螺入孔で、各ビス螺入孔２７ａ〜２７ｃは、ブラケット１１のビス挿通孔１３ａ〜１３ｃに対応して設けられている。
【００１６】
２８は下面板２３の幅方向のほぼ中央部において、長手方向に設けられたほぼＣ字状の取付部で、後述の仕切り具が着脱自在に取付けられる。２９ａ，２９ｂは下面板２３の取付部２８の両側において、長手方向に設けられたほぼ半円状の支持溝である。
【００１７】
次に、上記のように構成した水平板２１を備える棚板の機能について説明する。
（１）棚板の取付け（その１）
図５に示すように、水平板２１の両端部にブラケット１１を当接し、そのビス挿通孔１３ａ〜１３ｃを水平板２１のビス螺入孔２７ａ〜２７ｃにそれぞれ整合させる。ついで、ビス挿通孔１３ａ〜１３ｃに挿通したビス１４をビス螺入孔２７ａ〜２７ｃに螺入して一体に結合する。そして、このブラケット１１の係止片１２を支柱２の係止孔３に挿入して係止させれば、棚板を支柱２の間に設置することができる。このとき、係止片１２を係止する支柱２の係止孔３を選択することにより、棚板の上下の間隔を任意に設定することができる。
【００１８】
（２）棚板の取付け（その２）
また、図６に示すように、木製、鋼製、アルミ形材製などの両側板１（図には一方のみ示してある）の対向面に、上下方向に所定の間隔で、かつ水平板２１の支持溝２９ａ，２９ｂに対応した間隔で複数対のねじ孔１５を設け、このねじ孔１５にねじ付きピン１６を螺入して取付け、このねじ付きピン１６上に水平板２１を載置して支持溝２９ａ，２９ｂをねじ付きピン１６にそれぞれ嵌合させれば、棚板を両側板１の間に設置することができる。なお、この場合も、ねじ付きピン１６を螺入するねじ孔１５を選択することにより、棚板の上下の間隔を任意に設定することができる。
【００１９】
（３）棚板の取付け（その３）
さらに、図６のねじ孔１５に代えて、対向する両側板１の上下方向に、水平板２１のビス螺入孔２７ａ〜２７ｃに対応した複数対のビス挿通孔を設け、側板１を水平板２１の端部に当接してビス挿通孔をビス螺入孔２７ａ〜２７ｃに整合させ、側板１の外面からビス挿通孔に挿通したビスをビス螺入孔２７ａ〜２７ｃに螺入すれば、両側板１の間に棚板を設置することができる。この場合も、ビスを挿通するビス挿通孔を選択することにより、棚板の間隔を任意に設定することができる。
【００２０】
（４）ストッパの取付け（その１）
図７は棚板上に載置又は収納する書籍等の奥行方向の位置決めをするためのストッパ３１の取付け手段を示すものである。ストッパ３１は図８に示すように、アルミ形材からなる水平板２１とほぼ同じ長さの前面板３２と、その後面側の上下の長手方向に設けたフランジ３３，３４と、フランジ３４の下部の長手方向に設けられ、前面板３２の延設片３２ａと平行に垂設された係合片３５とからなり、延設片３２ａと係合片３５とにより水平板２１の凹溝２５ａ〜２５ｃの幅Ｗ4とほぼ等しい幅Ｗ5の係合部３６を形成したもので、係合片３５の下端部の長手方向には、後方に僅かに突出する突起部３５ａが設けられている。
【００２１】
このようなストッパ３１の係合部３６を、図７に示すように、水平板２１の凹溝２５ａ〜２５ｃのいずれかに係合させて立設することにより、載置又は収納される書籍等の幅に対応して、水平板２１の先端部からの幅（奥行き）を任意に設定することができる。なお、係合片３５の先端部に突起部３５ａを設けたので、係合部３６の凹溝２５ａ〜２５ｃへの係合に際しては、係合片３５が若干弾性変形して嵌入されて突起部３５ａが凹溝２５ａ〜２５ｃの内壁に係止するので、ストッパ３１は安定して保持される。
【００２２】
（５）ストッパの取付け（その２）
図７で説明したように、載置又は収納する書籍等の幅に対応した位置にストッパ３１を設置することにより、棚板上に所望の幅（奥行き）の載置部を得ることができるが、水平板２１の幅とほぼ等しい幅の書籍等を載置又は収納する場合は、後部からの書籍等のはみ出しや落下を防止するために、図９に示すように、水平板２１の後端部にストッパ（以下、後部ストッパという）４１を取付ければよい。
【００２３】
この後部ストッパ４１は、図１０に示すように、前面板４２の上端部の長手方向には、後方に延出されたフランジ４３が設けられており、下端部の長手方向には後方に突出した突出部４４が設けられている。そして、前面板４２の下部前面側の長手方向には、水平板２１の後端部に設けた取付溝２６に係合するほぼＴ字状の係合部４５が突設されている。このような後部ストッパ４１の係合部４５を、水平板２１の取付溝２６に横方向から嵌入してスライドさせることにより、水平板２１の後端部に後部ストッパ４１を立設して取付けることができる。
【００２４】
（６）棚板の拡幅
棚板上に載置又は収納する書籍等によっては、その幅が水平板２１より広く、水平板２１からはみ出してしまうことがある。このような場合は、図１１に示すように、アルミ形材により水平板２１とほぼ等しい厚み及び長さで中空に形成され、前端部に水平板２１の取付溝２６に嵌合するほぼＴ字状の係合部４７を備えた補助水平板４６を使用するようにしたものである。
【００２５】
この補助水平板４６の係合部４７を水平板２１の取付溝２６に横方向から嵌入してスライドさせることにより、幅の広い棚板を得ることができる。なお、補助水平板４６の後端部上面の長手方向に突起部を設けてストッパを形成すれば、棚板上に載置又は収納した書籍等の後部へのはみ出しや落下を防止することができる。
【００２６】
（７）仕切り具の取付け
書架においては、下段の棚板に載置又は収納した書籍等を、適当な量ごとに上段の棚板の下面に設けた仕切り具で仕切り、あるいは仕切り具により書籍等が倒れるのを防止している。本発明においては、図１２に示すように、例えば鋼線を折り曲げて形成した仕切り具４８の係止片４９を、その弾性を利用して水平板２１の下面板２３に設けた取付部２８の任意の位置に着脱自在に装着して垂下させ、下段の棚板上に載置又は収納した書籍等を仕切りあるいは倒れるのを防止するようにしたものである。
【００２７】
（８）表示具の取付け
書架においては、棚板上に載置又は収納した書籍等の種類や内容などを表示したい場合がある。本発明はこのような要望に応えるべく、図１３に示すように、水平板２１に着脱自在に表示具５１を取付けるようにしたものである。
【００２８】
この表示具５１は、図１４（ａ）に示すような支持台５２と、図１４（ｂ）に示すような表示板５６とからなるもので、支持台５２はアルミ形材により断面ほぼ正三角形状で、前面側が切除されて上下に係止片５３，５４が形成され、底板の後部側には水平板２１の凹溝２５ａに嵌合する突条５５を設けたものである。また、表示板５６の後面には、支持台５２の係止片５３，５４に係合する係合部５７，５８が設けられており、前面側の下端部はほぼＬ字状に形成された支持部５９が設けられている。
【００２９】
上記のような支持台５２は、図１３に示すように、その突条５５を凹溝２５ａに嵌入して水平板２１上に載置される。そして、表示板５６の係合部５７，５８を支持台５２の係止片５３，５４に係合させれば、ほぼ６０°で傾斜した表示板５６を有する表示具５１が水平板２１上に取付けられる。なお、支持台５２は幅広のものを１台設けてもよく、あるいは幅狭のものを２台並設してもよい。また、支持台５２の前面側を切除せず、１枚の板で形成して表示部とすれば、表示板５６を省略することができる。
【００３０】
上記の説明では、支柱２の一方の面にブラケット１１を取付けて、片側に棚板を設置した場合を示したが、支柱２の前後両面にブラケット１１を取付けて両側に棚板を設置してもよい。また、図１、図２に記載した書架に本発明に係る棚板を取付けた場合を示したが、書架の構造はこれに限定するものではなく、本発明は、各種構造の書架に実施することができる。
【００３１】
また、図７〜図１４において、本発明の棚板を構成するストッパ３１及び後部ストッパ４１並びにその他の補助水平板４６、仕切り具４８及び表示具５１について説明したが、これらの形状、構造は図示のものに限定するものではなく、適宜変更することができる。
【００３２】
以上の説明から明らかなように、本発明に係る棚板は、書籍等を載置又は収納する幅（奥行き）を調整するストッパ３１，４１を備え、さらには、仕切り具４８の取付け、棚板の幅（奥行き）の拡大、表示具５１の取付けなどを容易に行うことのできる多機能を備えているので、汎用性に富み使用範囲を大幅に拡大することができる。さらに、水平板２１は中空部を有するアルミ形材によって構成したので、軽量で運搬や組立が容易である。
【符号の説明】
【００３３】
１  側板
２  支柱
３  係止孔
１１  ブラケット
２１  水平板
２２  上面板
２３  下面板
２４  リブ
２５ａ〜２５ｃ  凹溝
２６  取付溝
２７ａ〜２７ｃ  ビス螺入孔
２８  仕切り具の取付部
２９ａ，２９ｂ  支持溝
３１  ストッパ
４１  後部ストッパ
４６  補助水平板
４８  仕切り具
５１  表示具
【図１】
2010094537.tif 000003
【図２】
2010094537.tif 000004
【図３】
2010094537.tif 000005
【図４】
2010094537.tif 000006
【図５】
2010094537.tif 000007
【図６】
2010094537.tif 000008
【図７】
2010094537.tif 000009
【図８】
2010094537.tif 000010
【図９】
2010094537.tif 000011
【図１０】
2010094537.tif 000012
【図１１】
2010094537.tif 000013
【図１２】
2010094537.tif 000014
【図１３】
2010094537.tif 000015
【図１４】
2010094537.tif 000016